(57)【要約】本発明は、端部で圧縮スラブとアンカーとに接続される遷移スラブに関する。前記遷移スラブは、ポリマー、エラストマーまたは類似のもののシートの圧縮によってデッキの膨張を吸収し、ポリマー、エラストマーまたは類似のもののシートは、道路の長手方向に垂直に、前記遷移スラブに統合され、平行に配置される。遷移スラブは、誘発された裂け目の開口の総和と、裂け目の面の間の間隔と、に起因して、膨張によってデッキの収縮運動を吸収する。前記裂け目の面は、木材、ポリマーまたは類似のものからなる型によって強制され、木材、ポリマーまたは類似のものからなる型は、平行に離れて配置され、遷移スラブに統合される。【選択図】図１ａ、図１ｂ、図１ｃ
2016534256.tif 000002
【特許請求の範囲】
【請求項１】
長寿命の伸縮継手の付いた橋のデッキと橋台との間の遷移スラブであって、前記遷移スラブは、垂直の作用に耐えるために非常に固くしまった橋台の外輪の地面の上で支えられ、道路とつながり、前記遷移スラブは、
・力を横に分配する鉄筋を含む、収縮があるまたはないコンクリートと、
・デッキの圧縮スラブに遷移スラブの一方の側を接続する通常の構造接続と、
・遷移スラブの他方の側にアンカーを接続する通常の接続と、
を統合し、
前記遷移スラブは、
・強いられた裂け目の面であって、平行で互いから離れており、その裂け目の開口が道路の方向に垂直である、強いられた裂け目の面と、
・約０．５‐２ｃｍの薄い型の、木材、ポリマーまたは類似のものであって、強いられた裂け目の開口の総和を通じて、デッキの収縮運動を吸収できる、道路の方向に垂直な裂け目の面の適切なマッピングを強いるようになっている、木材、ポリマーまたは類似のものと、
・デッキとアンカーブロックとの間の強いられた裂け目を適切に縫う鉄筋と、
を含む、遷移スラブ。
【請求項２】
請求項１に記載の遷移スラブであって、デッキの膨張運動を可能にするために、約０．５‐３ｍｍの薄い層またはシートに、低弾性係数を有する、ポリマー、エラストマーまたは類似のものを有する、遷移スラブ。
【請求項３】
請求項１または２に記載の遷移スラブであって、アスファルト舗装が遷移スラブの上に配置される、遷移スラブ。
【請求項４】
請求項１に記載の遷移スラブであって、前記遷移スラブは現場で製造される、遷移スラブ。
【請求項５】
請求項１に記載の遷移スラブであって、前記遷移スラブはプレハブ式である、遷移スラブ。
【請求項６】
請求項１に記載の遷移スラブであって、前記遷移スラブは、コンクリートとの低摩擦係数を有する層の上に作られる、遷移スラブ。
【請求項７】
橋のデッキの収縮運動を吸収する方法であって、遷移スラブで強いられた裂け目のいくつかの開口の総和によって、デッキの収縮運動を吸収するために、請求項１に記載の特徴に従った遷移スラブを、橋のデッキと、橋台と、の間に置くことを含む、方法。
【請求項８】
請求項７に記載の方法であって、低弾性係数を有する、ポリマー、エラストマーまたは類似のものの約０．５‐３ｍｍの層またはシートを、前記層またはシートの収縮によってデッキの膨張運動をさらに吸収するために、遷移スラブに入れることを含む、方法。
【発明の詳細な説明】
【技術分野】
【０００１】
本発明は、長寿命の伸縮継手の付いた橋のデッキと橋台との間の遷移スラブと、橋のデッキの伸縮運動を吸収する方法と、に関する。それは、橋台の従来の継手に長寿命を提供する代替である。
【背景技術】
【０００２】
橋では、デッキの端とその橋台との間の伸縮継手には、解決すべき問題がある。それらは自動車用の舗装道路に不連続性を生じさせるからであり、橋台に関する、収縮、プレストレス、クリープの作用に加えて、デッキは温度上昇により膨張し、デッキは温度の下降により収縮するからである。デッキの橋の前記の伸縮継手は、橋の長手方向と交差して位置する、エラストマー継手、フィンガー継手またはモジュール継手で通常は解決される。この従来の継手は、デッキの端と、不完全な橋の橋台のハンチと、の間に位置する。
【０００３】
この従来の継手は、遷移スラブの端に位置し、遷移スラブは、完全な橋で、一端でデッキの圧縮スラブと連続し、反対の端で道路基盤と連続して、配置される。
【０００４】
継手の寿命は５〜１５年であり、交通および他の作用により引き起こされる完全性喪失のために交換されなければならない。
【０００５】
従来の継手は、橋台への水の通過を許容する。
【０００６】
従来の継手は、前述の継手の上の自動車の衝撃が原因で前記の自動車がエネルギーを損失する個所である。
【０００７】
道路の方向に関するスキューイングと組み合わされた従来の継手は、オートバイにとって非常に危険である。
【０００８】
従って、より長持ちする継手の必要性がある。
【０００９】
橋台へ水が入ることを可能な限り防ぐ必要性がある。
【００１０】
運転手の安全性が損なわれないように、継手の中空の開口を減らすことも必要である。
【００１１】
特許文献１は、遷移スラブに類似した概念を教示しているが、それは、この発明の場合のように、遷移スラブに強いられた裂け目で小さな開口を有する複数の継手を作る代わりに、伸縮継手をデッキの反対側の端に置く。
【００１２】
特許文献２は、遷移スラブに類似した概念を提示しているが、この発明の場合のように、遷移スラブに強いられた裂け目で小さな開口を有する複数の継手を作る代わりに、伸縮継手は、デッキから最も離れた端に位置する。
【００１３】
デッキの圧縮スラブは、コンクリート補強された遷移スラブに接続される。前記の遷移スラブは、コンクリートでアンカーに接続され、前記の結合に静止固定面が位置する。
【００１４】
前述の遷移スラブは、ポリマー、エラストマーまたは類似のもののシートの圧縮によってデッキの膨張を吸収して収縮する。しかし、この動きは地面によって吸収されることがあり、本発明はシートを備えないことがある。ポリマー、エラストマーまたは類似のもののこの薄い層は、互いに平行におよび離れて配置され、道路の長手方向に垂直に遷移スラブに統合される。
【００１５】
前記の遷移スラブは、互いから距離を置いて分離および誘発された裂け目の開口の総和のため、遷移スラブの膨張によってデッキの収縮運動を吸収する。
【００１６】
裂け目の面の全体、または裂け目の面のマップは、木材、ポリマーまたは類似のものの型によって強制され、木材、ポリマーまたは類似のものの型は、平行におよび離れて配置され、道路の長手方向に垂直に、遷移スラブに統合される。
【００１７】
遷移スラブの上に配置されたアスファルト舗装は、前記のスラブを保護する。
【００１８】
誘発された裂け目は、アスファルト舗装の高い所に現れることができるが、運転手にとってまたは車両にとって問題を伴わない３ｍｍより大きくない。遷移スラブは、垂直の作用に耐えるために非常に固くしまった橋台の外輪の地面の上で支えられ、前記遷移スラブは、デッキの収縮作用の点から見てアコーディオンのようにふるまい、コンクリートとの低摩擦係数を有する層の上に作られることができる。
【００１９】
この際立った遷移スラブによって、裂け目のマップを制御的に発展させることができ、橋台に関するデッキの収縮運動を可能にし、裂け目の表面に平行な圧縮可能な薄い層の適切な数のおかげで膨張運動を吸収可能であるようになっている。
【００２０】
遷移スラブは、プレハブ式であることができる、または従来の方法によって現場で作られることができる。
【先行技術文献】
【特許文献】
【００２１】
【特許文献１】日本国特許出願公開第２００６‐３２８８６７号公報
【特許文献２】中国特許出願第２００９８０１１７１８７号
【発明の概要】
【発明が解決しようとする課題】
【００２２】
従って、解決すべき問題は、新しい橋の建設でも既存の橋の改修工事でも、車両利用者にとっての不連続性を除去する、デッキの圧縮スラブと橋の橋台との間の長寿命の伸縮継手を達成することである。
【課題を解決するための手段】
【００２３】
本発明によると、これらの目的は、鉄筋コンクリート製の特別な遷移スラブで達成され、それは、
・建設法によって正当化されるデッキの圧縮スラブに遷移スラブを接続する通常の接続と、
・デッキの反対側に位置し、建設法によって正当化される、アンカーブロックまたは他の方法によって得られる横のアラインメントに遷移スラブを接続する、コンクリート接続と、
・遷移スラブに対する収縮があるまたはないコンクリートと、
・強いられた裂け目を適切に縫う鉄筋と、
・力を横に分配する鉄筋と、
・デッキの膨張運動を可能にするための、ポリマー、エラストマーまたは類似のものの薄い層（約０．５〜３ｍｍの厚さ）と、
・誘発された裂け目の開口の総和によって橋の収縮運動を吸収できるように、道路の長手方向と垂直に裂け目のマップを強いるための、形成されたポリマーまたは木材（約０．５‐２ｃｍの厚さ）と、
・橋台に対して適切に固められた、スラブの下の地面の土台と、
を含む。
【００２４】
補強されたスラブの形の伸縮継手は、橋台に関するデッキの収縮の問題を解決するための際立った解決策を提供し、経時的な耐久性を高め、車両利用者にとって隆起を防ぐ。
【００２５】
本発明は、例として与えられ、図によって説明された、図解を用いて、より良く理解される。
【図面の簡単な説明】
【００２６】
【図１ａ】橋のデッキの圧縮スラブと橋台との間に位置する、技術状態の公知のエラストマー伸縮継手を示す。
【図１ｂ】橋のデッキの圧縮スラブと橋台との間に位置する、技術状態の公知のフィンガー伸縮継手を説明する。
【図１ｃ】橋のデッキの圧縮スラブと橋台との間に位置する、技術状態の公知のモジュール継手を示す。
【図２ａ】道路の長手方向で、デッキ、橋台、および前記橋台の外輪の結合の長手方向断面によって、半完全な橋台の断面で位置している伸縮継手の付いた遷移スラブの位置、を示す。
【図２ｂ】道路の長手方向で、デッキ、橋台、および前記橋台の外輪の結合の長手方向断面によって、完全な橋台の断面で伸縮継手の付いた遷移スラブの位置、を示す。
【図２ｃ】平面図によって、伸縮継手の付いた新しい遷移スラブの位置を説明する。
【図３】伸縮継手の付いた遷移スラブの構造的細部を示す。
【発明を実施するための形態】
【００２７】
本発明は、要素が示される添付図面を参照して、より完全にこれから記載される。この発明は、それにもかかわらず、異なる多くの形で実現でき、本書で言及された形に限定されると解されるべきでなく、本発明は、この詳細で完全な記載が当業者に本発明の範囲を完全に伝えるように、提供される。
【００２８】
図１ａは、橋３のデッキの圧縮スラブと橋台２との間に位置する、技術状態の公知のエラストマー伸縮継手１を示す。図１ｂは、橋３のデッキの圧縮スラブと橋台２との間に位置する、技術状態の公知のフィンガー伸縮継手４を示す。図１ｃは、橋３のデッキの圧縮スラブと橋台２との間に位置する、符号６は、舗装道路表面を指し示す。
【００２９】
図２ａは、半完全な橋台８の断面で、遷移スラブ７の伸縮継手の位置を示す。
【００３０】
遷移スラブ７の伸縮継手は、アンカー９とデッキ１１の圧縮スラブ１０との間に位置する。
【００３１】
遷移スラブ７の部分１２は、デッキ１１の膨張を吸収し、遷移スラブ７の別の部分１３は、デッキ１１の収縮を吸収する。
【００３２】
本発明は、スラブの三角形のスクリードの結果として橋台のスキューイング１４を適合させる可能性を含む。
【００３３】
本発明は、適切に固くしまった充填材１５の上で実行されなければならない。
【００３４】
スラブの上のアスファルト舗装１６は、前記スラブを保護する。
【００３５】
静止固定面１７は、遷移スラブ７の伸縮継手とのアンカー９の境界に位置する。
【００３６】
デッキ１８の膨張運動は、典型的に約０．５〜３ｍｍである厚さがＳＷの、ポリマー、エラストマーまたは類似のもののシートまたは層２３の圧縮に起因して遷移スラブ７の収縮によって吸収される。
【００３７】
デッキ１９の収縮運動は、典型的に３ｍｍより大きくない特徴的な幅がＷＫで、裂け目の面の間隔がＳＭである、誘発された裂け目の開口２４の総和に起因して遷移スラブ７の膨張によって吸収される。
【００３８】
図２ｂは、完全な橋台２０の断面で、遷移スラブ７の伸縮継手の類似した位置を示す。図２ｃは、新しい伸縮継手の位置を平面図で示す。この図は、梁からなるデッキ１１を表しているが、他の種類のデッキ１１が可能かもしれない。
【００３９】
図３は、遷移スラブ７の伸縮継手の構造的細部を示し、デッキ１１の膨張を可能にする遷移スラブの領域１２を定める部分を中心とし、デッキ１１の収縮を可能にする遷移スラブの部分１３を含む。平行におよび厚さＳＷで配置されたポリマー、エラストマーまたは類似のものの薄い層は、デッキ１１の膨張運動を可能にする。しかし、この動きは地面によって吸収されることがあり、本発明は層２３を備えないことがある。木材、ポリマーまたは類似のものの型２５は、平行におよび互いからの距離ＳＭで裂け目の面２４の適切なマップを強いるために配置され、その開口ＷＫは、道路の長手方向に垂直であり、それは、誘発された裂け目の全ての開口の総和ΣＷＫ＝１９を通じて、デッキ１１の収縮運動を吸収できる。間隔ＳＭは、可変である。
【００４０】
縦の鉄筋２１は、スラブ７の裂け目２４を縫う。横の鉄筋２２は、横の力の分配を助ける。スラブの裂け目は、アスファルト舗装の高い所に現れることができるが、運転手にとってまたは車両にとって問題を伴わない３ｍｍより大きくない。不浸透性層２７が、アスファルト舗装１６とスラブ７との間に配置されるべきである。
【００４１】
スライディング層２８が、適切に地固めされた地面１５とスラブ７との間にある。
【００４２】
図に関する先の記述は、本発明を限定する代わりに説明する。添付の「特許請求の範囲」の範囲内にある多くの代替が存在する。「備える」という用語は、請求項に記載されている以外の要素またはステップとの存在を除外しない。要素またはステップの前の「ａ（１つの）」または「ａｎ（１つの）」という用語は、複数のそのような要素またはステップを除外しない。それぞれの従属請求項が、それぞれの付加的特徴を定義しているということは、従属請求項の組み合わせに対応する付加的特徴の組み合わせを除外しない。
【図２ａ】
2016534256.tif 000003
【図２ｂ】
2016534256.tif 000004
【図２ｃ】
2016534256.tif 000005
【図３】
2016534256.tif 000006
【図１ａ】
2016534256.tif 000007
【図１ｂ】
2016534256.tif 000008
【図１ｃ】
2016534256.tif 000009
【国際調査報告】
2016534256.tif 000010
2016534256.tif 000011
2016534256.tif 000012
2016534256.tif 000013